(57)【要約】【課題】携帯端末機器に於いて、両キャビネット間に侵入した異物によって、キャビネットのスライド面が傷付く虞れを効果的に防止する。【解決手段】携帯端末機器は、第１キャビネット2と第２キャビネット7を互いにスライド可能に設け、何れか一方のキャビネット2内側には、キャビネット2スライド時に、キャビネット2、7の外側からキャビネット2、7間に侵入する異物に接する異物排出突起3が設けられている。該異物排出突起3は、スライド方向に沿う長辺部31と短辺部30を有して、両辺部30、31の端部が斜辺部32で繋がる略台形形状の上面形状を具え、短辺部30が該キャビネット2の外側を向いている。キャビネット2スライド時に、斜辺部32にて侵入した異物をキャビネット2の外側に押し出す。また、異物排出突起3には、微細粒子を内部に取り込む吸収性シート4が被さる。【選択図】図２
2010034931.tif 000002
【特許請求の範囲】
【請求項１】
第１キャビネット(２)と第２キャビネット(７)を互いにスライド可能に設け、何れか一方のキャビネット上であって他方のキャビネットと近接する側には、キャビネットスライド時に、キャビネット(２)(７)の外側からキャビネット(２)(７)間に侵入する異物に接する突起(３)が設けられ、
該突起(３)は、キャビネット(２)のスライド方向に対して傾いた斜辺部(32)を具えていることを特徴とする携帯端末機器。
【請求項２】
突起(３)は、キャビネット(２)のスライド方向に沿う長辺部(31)と短辺部(30)を有して、両辺部(30)(31)の端部が斜辺部(32)で繋がる略台形形状の上面形状を具え、
短辺部(30)が該キャビネット(２)の外側を向いている、請求項１に記載の携帯端末機器。
【請求項３】
第１キャビネット(２)は、第２キャビネット(７)の一部を露出させた開位置から、両キャビネット(２)(７)が合わさる閉位置へと後方に移動し、斜辺部(32)は少なくとも突起(３)の後端部に設けられた、請求項１又は２に記載の携帯端末機器。
【請求項４】
突起(３)には、微細粒子を内部に取り込む吸収性シート(４)が被さる、請求項１乃至３の何れかに記載の携帯端末機器。
【請求項５】
突起(３)は、キャビネット(２)上に貼り付けたシートにて構成され、又はキャビネット(２)に一体成形された、請求項１乃至４の何れかに記載の携帯端末機器。
【発明の詳細な説明】
【技術分野】
【０００１】
本発明は、第１キャビネットを第２キャビネット上にスライド可能に設けた携帯電話等の携帯端末機器に関する。
【背景技術】
【０００２】
図９(a)、(b)は、従来の携帯端末機器である携帯電話(１)の斜視図である(特許文献１参照)。ディスプレイ(20)を具えた第１キャビネット(２)は、複数の操作釦(70)(70)を具えた第２キャビネット(７)上をスライド可能に設けられ、第２キャビネット(７)上の操作釦(70)(70)が露出した開位置(図９(a))から、手動で第１キャビネット(２)を矢印Ｄ方向にスライドさせると、第１キャビネット(２)と第２キャビネット(７)とが重なった閉位置(図９(b))に移動する。以後の記載では、この開位置から閉位置へのＤ方向を後方、反対側を前方とする。
第１キャビネット(２)の裏面には一般に、ポリエチレン等から形成される耐摩耗性シート(図示せず)が貼り付けられ、第１キャビネット(２)がスライドした際に、第２キャビネット(７)の上面が傷付くことを防いでいる。
【０００３】
【特許文献１】特開２００６−１４０８１４号公報
【発明の開示】
【発明が解決しようとする課題】
【０００４】
開位置にて携帯電話(１)を使用中に、第１キャビネット(２)と第２キャビネット(７)との隙間に砂等の異物が侵入することがある。これでは、第１キャビネット(２)の裏面に耐摩耗性シートを貼り付けていても、第１キャビネット(２)スライド時に、第２キャビネット(７)の上面にて異物が侵入した箇所がスライド長さに亘って、図９(a)にＥで示すように傷付く虞れがある。
出願人は簡素な構成で、両キャビネット(２)(７)の隙間に侵入した大きな粒径の砂等を外に排出し、その一方、小さな粒径の砂等は両キャビネット(２)(７)間に吸収すれば、第２キャビネット(７)の上面が傷付く虞れを効果的に防止できることを着想した。
本発明の目的は、両キャビネット間に侵入した異物によって、キャビネットのスライド面が傷付く虞れを効果的に防止することにある。
【課題を解決するための手段】
【０００５】
携帯端末機器は、第１キャビネット(２)と第２キャビネット(７)を互いにスライド可能に設け、何れか一方のキャビネット(２)内側には、キャビネット(２)スライド時に、キャビネット(２)(７)の外側からキャビネット(２)(７)間に侵入する異物に接する異物排出突起(３)が設けられている。該異物排出突起(３)は、キャビネット(２)のスライド方向に対して傾き、侵入した異物をキャビネット(２)(７)の外側に押し出す斜辺部(32)を具えている。
また、異物排出突起(３)には、微細粒子を内部に取り込む吸収性シート(４)が被さる。
【発明の効果】
【０００６】
大径の異物が、キャビネット(２)(７)の外側からキャビネット(２)(７)間に侵入すると、該異物はキャビネット(２)スライド時に異物排出突起(３)の斜辺部(32)に接する。斜辺部(32)に接した異物はキャビネット(２)のスライドに伴って、キャビネット(２)の外側に押される。これによる、簡素な構造で、大径の異物をキャビネット(２)の外側に排除することができ、キャビネット(７)のスライド面が傷付く虞れを効果的に防止することができる。
また、キャビネット(２)(７)の外側からキャビネット(２)(７)間に侵入した微細粒子である異物は、異物排出突起(３)の斜辺部(32)によっては排除されないが、吸収性シート(４)の内部に取り込まれて吸収される。これにより、微細粒子である異物と固定側のキャビネット(７)との接触量が小さくなり、微細な異物によって、キャビネット(７)のスライド面が傷付く虞れも効果的に防止することができる。
【発明を実施するための最良の形態】
【０００７】
以下、本発明の一実施例を図を用いて説明する。
図１は、携帯端末機器である携帯電話(１)の分解斜視図である。第１キャビネット(２)が、操作釦(70)(70)を具えた第２キャビネット(７)上にて閉位置と開位置の間をスライドする構成は、図９に示す従来の構成と同様である。第１キャビネット(２)の裏面には、長孔(25)(25)が開設され、該長孔(25)(25)が第２キャビネット(７)上の突条(75)(75)に嵌まって、第１キャビネット(２)はスライドを案内される。
このスライド構造は、他の構造であっても良く、例えばコの字で挟み込むようなスライド部材で構成したり、バネなどの弾性部材を含むスライドユニットでなるスライド部材で構成しても良い。
第１キャビネット(２)の裏面の四隅には、第１キャビネット(２)を円滑にスライドさせるべく、ポリエチレン等から形成される耐摩耗性シート(９)が貼り付けられている。
第１キャビネット(２)の裏面にて、長孔(25)よりも後方には、異物排出突起(３)が設けられ、該異物排出突起(３)に吸収性シート(４)が被さる。吸収性シート(４)は薄手で半透明のシートであり、吸収性シート(４)を異物排出突起(３)に被せても、吸収性シート(４)の上から異物排出突起(３)の形状は判る。吸収性シート(４)は後記の如く、異物のうち、微細粒子を内部に取り込む超極細繊維からなるシートである。異物排出突起(３)に吸収性シート(４)を被せた高さは、耐摩耗性シート(９)の高さと同程度であり、異物排出突起(３)及び吸収性シート(４)は、第１キャビネット(２)のスライドを邪魔しない。
尚、第１キャビネット(２)は従来と同様に、ディスプレイを具えているが、説明の便宜上、図示を省く。
【０００８】
図２は、第１キャビネット(２)と第２キャビネット(７)の平面図である。図２では、説明の便宜上、耐摩耗性シート(９)及び長孔(25)を図示しない。
異物排出突起(３)は、短辺部(30)と長辺部(31)を、第１キャビネット(２)のスライド方向に略平行に設けた台形状の上面形状を呈し、第１キャビネット(２)の裏面に貼り付けられたシートから構成される。異物排出突起(３)は、短辺部(30)を外側に向けて配備され、短辺部(30)と長辺部(31)の各前端と後端は、夫々斜辺部(32)(32)にて繋がる。斜辺部(32)は、第１キャビネット(２)の内側から外側に向かって、互いに接近するように傾いている。
両キャビネット(２)(７)が開位置では、両キャビネット(２)(７)の外側からキャビネット(２)(７)間の隙間に砂等の異物(８)が侵入しやすい。この場合、第１キャビネット(２)が開位置から後方にスライドすると、異物排出突起(３)の後端部の斜辺部(32)が異物(８)に当たり、該斜辺部(32)は内側から外側に向かって前向きに傾いているから、異物(８)を外に押し出す。これにより、簡素な構成で異物(８)のキャビネット(２)(７)間内への侵入を防ぐことができ、キャビネット(７)のスライド面が傷付く虞れを効果的に防止することができる。
【０００９】
図３は、第１キャビネット(２)の裏面図であり、図４は、異物排出突起(３)と吸収性シート(４)の分解斜視図、図５は、図３の第１キャビネット(２)をＡ−Ａ線を含む垂直面にて破断し矢視した断面図である。
異物排出突起(３)は第１キャビネット(２)の裏面に設けられた凹溝(21)に挿入されて接着され、左右方向に位置決めされる。吸収性シート(４)は異物排出突起(３)を覆い、左右端部が凹溝(21)の縁部に被さる。吸収性シート(４)の下面には、両面テープ(40)が貼り付けられ、該両面テープ(40)が凹溝(21)の縁部に貼り付くことにより、異物排出突起(３)は第１キャビネット(２)上に強く取り付けられる。即ち、第１キャビネット(２)がスライドした際に、異物が吸収性シート(４)を介して異物排出突起(３)に当たっても、異物排出突起(３)は第１キャビネット(２)から容易に外れない。
【００１０】
吸収性シート(４)は、例えば超極細繊維を中心とした繊維素材からなるシートであり、異物のうち、微細粒子を繊維素材の内部に取り込むことができる。即ち、大径の異物は異物排出突起(３)の斜辺部(32)によって、キャビネット(２)(７)の外側に排出されるが、微細粒子は斜辺部(32)によっては排出されない。従って、吸収性シート(４)にて微細粒子の異物を内部に取り込んでいる。これにより、微細粒子である異物と固定側のキャビネット(７)との接触量が小さくなり、微細な異物によって、キャビネット(７)のスライド面が傷付く虞れも効果的に防止することができる。
出願人は、吸収性シート(４)として、超極細繊維を交絡させて不織布の加工方法により形成される三菱製紙株式会社製ナノワイパー(登録商標)を用いることを想定しているが、これに限定されない。また、吸収性シート(４)は、機能的に細かな粒子を取り込むものであれば良く、必ずしも超極細繊維である必要はない。
【００１１】
本例にあっては、異物排出突起(３)の斜辺部(32)にて侵入する異物を排出している。従って、異物排出突起(３)の上面形状は台形に限定されず、例えば図６に示すように、斜辺部(32)(32)を具えた三角形であってもよい。また、斜辺部(32)は短辺部(30)の一端と長辺部(31)の一端を繋げていればよく、例えば凸形状の曲面や、凹形状の曲面、また凹凸を組み合わせた曲面でもよい。
また、本例にあっては、図７(a)に示すように、異物排出突起(３)の前後端部の両方に斜辺部(32)(32)を形成している。しかし、異物を排出する効果が後端部の斜辺部(32)に専らある場合は、図７(b)に示すように、斜辺部(32)を異物排出突起(３)の後端部のみに設けてもよい。また、異物排出突起(３)をキャビネットに一体成形してもよい。
また、上記例では第１キャビネット(２)の下面に、異物排出突起(３)及び吸収性シート(４)を設けていたが、図８に示すように、異物排出突起(３)及び吸収性シート(４)を第２キャビネット(７)上に設けてもよい。
また、液体や気体であっても、携帯端末機器に影響のある虞れがあるものは、この突起(３)の斜辺部(32)にて排除するようにしてもよい。それにより、スライド面が傷付く虞れのみでなく、携帯端末機器自体に影響を及ぼす虞れがあるものは、突起(３)の斜辺部(32)で排除することができる。
【００１２】
上記実施例の説明は、本発明を説明するためのものであって、特許請求の範囲に記載の発明を限定し、或は範囲を減縮する様に解すべきではない。又、本発明の各部構成は上記実施例に限らず、特許請求の範囲に記載の技術的範囲内で種々の変形が可能であることは勿論である。
【図面の簡単な説明】
【００１３】
【図１】携帯電話の分解斜視図である。
【図２】第１キャビネットと第２キャビネットの平面図である。
【図３】第１キャビネットの裏面図である。
【図４】異物排出突起と拭取りシートの分解斜視図である。
【図５】図３の第１キャビネットをＡ−Ａ線を含む垂直面にて破断し矢視した断面図である。
【図６】別の異物排出突起の平面図である。
【図７】(a)、(b)は異物排出突起の平面図である。
【図８】携帯電話の別の実施例の斜視図である。
【図９】(a)、(b)は、従来の携帯電話の斜視図である。
【符号の説明】
【００１４】
(１)  携帯電話
(２)  第１キャビネット
(３)  異物排出突起
(４)  吸収性シート
(７)  第２キャビネット
(30)  短辺部
(31)  長辺部
(32)  斜辺部
【図１】
2010034931.tif 000003
【図２】
2010034931.tif 000004
【図３】
2010034931.tif 000005
【図４】
2010034931.tif 000006
【図５】
2010034931.tif 000007
【図６】
2010034931.tif 000008
【図７】
2010034931.tif 000009
【図８】
2010034931.tif 000010
【図９】
2010034931.tif 000011